(57)【要約】【課題】面状発光素子において、非発光部分を小さくすることができる。【解決手段】面状発光素子１は、面状陽極１５と、面状陰極１９と、これら電極１５、１９の間に設けられる発光層１７と、陽極取出し部５ａ、５ｂと、陰極取出し部６と、を備える。発光素子１は、平面視において発光層１７が電極１５、１９で挟まれた領域を発光面７とした。電極１５、１９は、いずれも１部の隅部が切欠きされた切欠き部１４、１８ａ、１８ｂを有し、この切欠き部同士が重畳しないように配置される。陽極取り出し部５ａ、５ｂは、陰極１９の切欠き部１８ａ、１８ｂに近接する陽極１５の隅部に配置される。陰極取り出し部６は、陽極１５の切欠き部１４に近接する陰極１９の隅部に配置される。発光素子１は、非発光部分である各取り出し部５ａ、５ｂ、６を小さくすることができるので、デザイン性を向上させることができる。【選択図】図３
2010225386.tif 000002
【特許請求の範囲】
【請求項１】
面状陽極電極と、面状陰極電極と、面状陽極電極と面状陰極電極との間に設けられる発光層と、面状陽極電極から導出された陽極取出し部と、面状陰極電極から導出された陰極取出し部と、を備え、平面視において発光層が面状陽極電極と面状陰極電極で挟まれた領域を発光面とした面状発光素子であって、
前記面状陽極電極及び面状陰極電極は、いずれも１部の隅部が切欠きされた切欠き部を有し、該切欠き部同士が重畳しないように配置され、
前記陽極取り出し部は、前記面状陰極電極の切欠き部に近接する面状陽極電極の隅部に配置され、
前記陰極取り出し部は、前記面状陽極電極の切欠き部に近接する面状陰極電極の隅部に配置されることを特徴とする面状発光素子。
【請求項２】
前記陽極取り出し部は、複数設けられ、少なくとも一組の陽極取り出し部をみたとき、それぞれが前記面状発光素子の重心を挟んで前記面状陽極電極の両隅部に設けられていることを特徴とする請求項１に記載の面状発光素子。
【請求項３】
前記陰極取り出し部は、複数設けられ、少なくとも一組の陰極取り出し部をみたとき、それぞれが前記面状発光素子の重心を挟んで前記面状陰極電極の両隅部に設けられていることを特徴とする請求項１又は請求項２に記載の面状発光素子。
【請求項４】
前記発光面の外周部に沿って、前記面状陽極電極と発光層との間に、該面状陽極電極と電気的に接続された補助電極が設けられることを特徴とする請求項１乃至請求項３のいずれか一項に記載の面状発光素子。
【請求項５】
請求項１乃至請求項４のいずれか一項に記載の面状発光素子と、この面状発光素子を挟持して保護する表面ケース及び裏面ケースと、を備え、
前記表面ケースは、前記発光面側に設置され、前記陽極取り出し部及び陰極取り出し部を保持する保持部を有し、前記発光面が開放されていることを特徴とする照明器具。
【発明の詳細な説明】
【技術分野】
【０００１】
本発明は、面状発光素子及びそれを備えた照明器具に関する。
【背景技術】
【０００２】
面状発光素子は、面状の陽極電極、発光層、及び面状の陰極電極を備え、電圧印加によって陽極電極が発光層にホールを注入すると共に、陰極電極が発光層に電子を注入し、発光層に注入されたホールと電子が発光層において結合することで発光する。この面状発光素子においては、面状の陽極及び陰極の電極の各２辺に沿って各電極取り出し部が配置されることが多く、非発光部分が大きくなる（例えば、特許文献１参照）。
【０００３】
図１７は、このような面状発光素子５１を備える照明器具５２の構成を示し、図１８は、面状発光素子５１の構成を示す。照明器具５２は、面状発光素子５１と、面状発光素子５１を挟持して保護する表面ケース５３及び裏面ケース５４と、を備える。面状発光素子５１は、矩形板状の基材５５と、基材５５側から順に積層されたそれぞれ矩形の陽極電極（図示せず）と、発光層５６と、陰極電極５７と、を備える。面状発光素子５１は、陽極電極から導出された陽極取り出し部５８と、陰極電極５７から導出された陰極取り出し部５９と、を有し、平面視において発光層５６が陽極電極と陰極電極５７で挟まれた領域を発光面６０とする。
【０００４】
このように、面状発光素子５１は、陽極及び陰極の各取り出し部５８、５９が各電極の２辺に沿って互いに重畳しないように配置されている。陽極及び陰極の各取り出し部５８、５９は、各電極の２辺に沿って設けられることで大きくなってしまう。また、面状発光素子５１は、非発光部分である陽極及び陰極の各取り出し部５８、５９が大きくなると、その寸法分だけ発光面６０が小さくなり、デザイン性を損なっていた。
【０００５】
表面ケース５３は、発光面６０側に設置され、陽極及び陰極の各取り出し部５８、５９を保持する保持部６１を有し、発光面６０が開放されている。陽極及び陰極の各取り出し部５８、５９が大きくなると、これらを保持する保持部６１も大きくなり、器具外観を損なっていた。
【０００６】
そこで、陽極及び陰極の各取り出し部を陽極及び陰極の各電極に１つずつ有する面状発光素子が考えられる。図１９は、このような面状発光素子７１を備える照明装置７２の構成を示し、図２０は、面状発光素子７１の構成を示す。面状発光素子７１は、陽極及び陰極の各取り出し部５８、５９が陽極及び陰極の各電極の各１辺に沿って互いに対向して配置されている。しかしながら、面状発光素子７１は、非発光部分である陽極及び陰極の各取り出し部５８、５９の個数を減らせても、その面積を大幅に小さくすることができなかった。そのために、照明装置７２は、表面ケース７３の保持部６１を大幅に小さくすることができないので、器具外観を向上させることが難しかった。
【先行技術文献】
【特許文献】
【０００７】
【特許文献１】特開２００８−２６９９８８号公報
【発明の概要】
【発明が解決しようとする課題】
【０００８】
本発明は、上記問題を解決するためになされたものであり、面状発光素子において、非発光部分を小さくすることを目的とする。
【課題を解決するための手段】
【０００９】
上記目的を達成するために請求項１の発明は、面状陽極電極と、面状陰極電極と、面状陽極電極と面状陰極電極との間に設けられる発光層と、面状陽極電極から導出された陽極取出し部と、面状陰極電極から導出された陰極取出し部と、を備え、平面視において発光層が面状陽極電極と面状陰極電極で挟まれた領域を発光面とした面状発光素子であって、前記面状陽極電極及び面状陰極電極は、いずれも１部の隅部が切欠きされた切欠き部を有し、該切欠き部同士が重畳しないように配置され、前記陽極取り出し部は、前記面状陰極電極の切欠き部に近接する面状陽極電極の隅部に配置され、前記陰極取り出し部は、前記面状陽極電極の切欠き部に近接する面状陰極電極の隅部に配置されるものである。
【００１０】
請求項２の発明は、請求項１に記載の面状発光素子において、前記陽極取り出し部は、複数設けられ、少なくとも一組の陽極取り出し部をみたとき、それぞれが前記面状発光素子の重心を挟んで前記面状陽極電極の両隅部に設けられているものである。
【００１１】
請求項３の発明は、請求項１又は請求項２に記載の面状発光素子において、前記陰極取り出し部は、複数設けられ、少なくとも一組の陰極取り出し部をみたとき、それぞれが前記面状発光素子の重心を挟んで前記面状陰極電極の両隅部に設けられているものである。
【００１２】
請求項４の発明は、請求項１乃至請求項３に記載の面状発光素子において、前記発光面の外周部に沿って、前記面状陽極電極と発光層との間に、該面状陽極電極と電気的に接続された補助電極が設けられるものである。
【００１３】
請求項５の発明は、請求項１乃至請求項４のいずれか一項に記載の面状発光素子と、この面状発光素子を挟持して保護する表面ケース及び裏面ケースと、を備え、前記表面ケースは、前記発光面側に設置され、前記陽極取り出し部及び陰極取り出し部を保持する保持部を有し、前記発光面が開放されている照明器具である。
【発明の効果】
【００１４】
請求項１の発明によれば、非発光部分である陽極取り出し部及び陰極取り出し部を小さくすることができるので、発光面を大きくし、デザイン性を向上させることができる。
【００１５】
請求項２の発明によれば、少なくとも一組の陽極取り出し部から陰極取り出し部までの各給電経路における輝度分布が、対称の関係で同じ形となるので、輝度分布を均一にして発光させることができる。
【００１６】
請求項３の発明によれば、陽極取り出し部から少なくとも一組の陰極取り出し部までの各給電経路における輝度分布が、対称の関係で同じ形となるので、輝度分布を均一にして発光させることができる。
【００１７】
請求項４の発明によれば、面状陽極電極から補助電極に電流が流れて、発光面の全外周から均一に給電されるので、輝度分布を均一にして発光させることができる。
【００１８】
請求項５の発明によれば、面状発光素子の非発光部分である陽極取り出し部及び陰極取り出し部を小さくすることができるので、これら取り出し部を保持する保持部を小さくすることができ、器具外観を向上させることができる。
【図面の簡単な説明】
【００１９】
【図１】（ａ）（ｂ）は、本発明の第１の実施形態に係る面状発光素子を用いる照明器具の分解図。
【図２】同面状発光素子を用いる照明器具の回路図。
【図３】（ａ）〜（ｃ）は、同面状発光素子の作成工程を示す図。
【図４】同面状発光素子の変形例を示す平面図。
【図５】同面状発光素子を用いる照明器具の変形例を示す平面図。
【図６】同面状発光素子への給電タイミングを示す図。
【図７】同面状発光素子を用いる照明器具の変形例を示す分解図。
【図８】同面状発光素子の変形例を示す平面図。
【図９】同面状発光素子の他の変形例を示す平面図。
【図１０】同面状発光素子の他の変形例を用いる照明器具を示す平面図。
【図１１】同面状発光素子のさらに他の変形例を示す平面図。
【図１２】同面状発光素子のさらに他の変形例を示す平面図。
【図１３】同面状発光素子のさらに他の変形例を用いる照明器具を示す平面図。
【図１４】（ａ）〜（ｄ）は、本発明の第２の実施形態に係る面状発光素子の作成工程を示す図。
【図１５】図１４（ｄ）のＡ−Ａ線断面図。
【図１６】（ａ）〜（ｃ）は、本発明の第３の実施形態に係る面状発光素子の作成工程を示す図。
【図１７】従来の面状発光素子を用いる照明器具の分解図。
【図１８】同面状発光素子の平面図。
【図１９】他の従来の面状発光素子を用いる照明器具の分解図。
【図２０】同面状発光素子の平面図。
【発明を実施するための形態】
【００２０】
（第１の実施形態）
本発明の第１の実施形態に係る面状発光素子について図面を参照して説明する。図１（ａ）（ｂ）は、本実施形態の面状発光素子１（以下、発光素子と略記）を用いる照明器具２の構成を示す。照明器具２は、発光素子１と、この発光素子１を挟持して保護する表面ケース３及び裏面ケース４と、を備える。発光素子１は、複数の陽極取り出し部５ａ、５ｂと、陰極取り出し部６と、光を照射する発光面７と、を有する。
【００２１】
表面ケース３は、発光面７側に設置され、陽極取り出し部５ａ、５ｂ及び陰極取り出し部６を保持する保持部８と、発光素子１の発光面７を開放するための開口部９と、を有する。裏面ケース４は、発光素子１の背面側に設置され、放熱性の高い金属、例えば、アルミから成り、発光素子１の背面に設けられる放熱性弾性体１０と接している。発光素子１は、放熱性弾性体１０と裏面ケース４を介して、発光によって生じた熱を空気中に放出する。
【００２２】
なお、表面ケース３は、開口部９を設けるのではなく、透光性材料で形成されることによって、発光素子１の発光面７を開放してもよい。その場合、照明器具２は、発光面７が相対する部分以外が不透過となるように表面ケース３を塗装することによって、器具外観を向上させてもよい。
【００２３】
図２及び図３（ａ）（ｂ）（ｃ）は、本実施形態の発光素子１の構成を示す。発光素子１は、面状陽極電極１５（以下、陽極と略記）、発光層１７、及び面状陰極陰極１９（以下、陰極と略記）を備え、陽極取り出し部５ａ、５ｂがスイッチＳ１を介して定電流回路１１と電源１２に接続されると共に、陰極取り出し部６が接地される。スイッチＳ１は、陽極取り出し部５ａ側に接続された端子ｓａと、陽極取り出し部５ｂ側に接続された端子ｓｂと、を有する。発光素子１の他に、定電流回路１１や発光素子１と定電流回路１１を繋ぐ配線などは、表面ケース３と裏面ケース４に保持される。
【００２４】
発光素子１は、以下の手順で作成される。まず、図３（ａ）に示されるように、矩形板状の基材１３上に、１部の隅部が切欠きされた切欠き部１４を有する矩形の陽極１５が形成される。この陽極１５は、切欠き部１４によって１箇所の隅部が面取りされた形状となる。
【００２５】
次に、図３（ｂ）に示されるように、陽極１５上に、１部の隅部が切欠きされた切欠き部１６ａ、１６ｂ、１６ｃを有する矩形の発光層１７が形成される。この発光層１７は、切欠き部１６ａ、１６ｂ、１６ｃによって３箇所の隅部が面取りされた形状となり、切欠き部１６ｃが陽極１５の切欠き部１４と重なり合う。
【００２６】
さらに、図３（ｃ）に示されるように、基材１３及び発光層１７上に、１部の隅部が切欠きされた切欠き部１８ａ、１８ｂを有する矩形の陰極１９が形成される。陰極１９は、下に積層された発光層１７との位置関係を理解しやすくするために、半透明で図示している。この陰極１９は、切欠き部１８ａ、１８ｂによって２箇所の隅部が面取りされた形状となり、切欠き部１８ａ、１８ｂが発光層１７の切欠き部１６ａ、１６ｂと重なり合う。また、陰極１９は、陽極１５の切欠き部１４が、陰極１９の切欠き部１８ａ、１８ｂと重畳しないようにして配置される。発光面７は、平面視において発光層１７が陽極１５と陰極１９で挟まれた領域とする。
【００２７】
陽極取り出し部５ａ、５ｂは、陽極１５から導出され、陰極１９の切欠き部１８ａ、１８ｂに近接する陽極１５の隅部に配置される。陰極取り出し部６は、陰極１９から導出され、陽極１５の切欠き部１４に近接する陰極１９の隅部に配置される。そのため、発光素子１は、非発光部分である陽極取り出し部５ａ、５ｂ及び陰極取り出し部６を小さくすることができるので、発光面７を大きくし、デザイン性を向上させることができる。また、照明器具２は、発光素子１の非発光部分である陽極取り出し部５ａ、５ｂ及び陰極取り出し部６を小さくすることができるので、これら取り出し部を保持する保持部８を小さくすることができ、器具外観を向上させることができる。
【００２８】
また、発光素子１が有する一組の陽極取り出し部５ａ、５ｂは、それぞれが発光素子１の重心２０を挟んで陽極１５の両隅部に設けられている。発光素子１は、一組の陽極取り出し部５ａ、５ｂから陰極取り出し部６までの各給電経路における輝度分布が、対称の関係で同じ形となるので、輝度分布を均一にして発光させることができる。なお、図４に示されるように、一組の陽極取り出し部５ａ、５ｂが重心２０を挟んでいない位置に設けられる発光素子１ａであってもよい。
【００２９】
また、図５に示されるように、照明器具２は、複数組み合わせて用いられてもよい。その場合、各照明器具２は、非発光部分である陽極取り出し部５ａ、５ｂと陰極取り出し部６を保持する保持部８同士が隣り合うようにして配置されるので、非発光部分による境目の少ない連続した光を照射することができる。
【００３０】
基材１３は、ガラス板、樹脂板、又はフィルム等から成り、例えば、プラスチックシート、ガラスとプラスチックの複合体、光透過性セラミック板、樹脂硬化体、又は有機・無機ハイブリッド材料から成るシート・フィルム等が材料として用いられる。
【００３１】
陽極１５は、発光素子１の機能を損ねない限り特に限定されるものではなく、例えば、ＩＴＯ、ＩＺＯ、ＡＺＯ、ＧＺＯ、ＡＴＯ、ＳｎＯ２等の透明導電膜、Ａｇ、Ａｕ、Ａｌ等の金属薄膜、導電性有機材料、又はこれらを組み合わせたもの等が材料として用いられる。陽極取り出し部５ａ、５ｂは、陽極１５から導出されているので、陽極１５と同じ材料から成る。陽極１５と陰極１９は、例えば、真空蒸着法を用いて成膜される。
【００３２】
発光層１７を構成する発光材料は、例えば、アントラセン、ナフタレン、ピレン、テトラセン、コロネン、ペリレン、フタロペリレン、ナフタロペリレン、ジフェニルブタジエン、テトラフェニルブタジエン、クマリン、オキサジアゾール、ビスベンゾキサゾリン、ビススチリル、シクロペンタジエン、キノリン金属錯体、トリス（８−ヒドロキシキノリナート）アルミニウム錯体（Ａｌｑ３）、トリス（４−メチル−８−キノリナート）アルミニウム錯体、トリス（５−フェニル−８−キノリナート）アルミニウム錯体、アミノキノリン金属錯体、ベンゾキノリン金属錯体、トリ−（ｐ−ターフェニル−４−イル）アミン、１−アリール−２，５−ジ（２−チエニル）ピロール誘導体、ピラン、キナクリドン、ルブレン、ジスチリルベンゼン誘導体、ジスチリルアリーレン誘導体、ジスチリルアミン誘導体及び各種蛍光色素などが挙げられる。発光層１７は、例えば、インライン式蒸着法を用いて成膜されることで、発光層１７の発光材料の成分比及び膜厚が膜面方向に均一となる。
【００３３】
陰極１９は、例えば、アルカリ金属、アルカリ金属のハロゲン化物、アルカリ金属の酸化物、アルカリ土類金属、及びこれらと他の金属との合金、具体的にはナトリウム、ナトリウム−カリウム合金、リチウム、マグネシウム、マグネシウム−銀混合物、マグネシウム−インジウム混合物、アルミニウム−リチウム合金、Ａｌ／ＬｉＦ混合物などが材料として用いられる。また、陰極１９の材料は、アルミニウム、Ａｌ／Ａｌ２Ｏ３混合物なども用いられる。さらに、陰極１９の材料は、アルカリ金属の酸化物、アルカリ金属のハロゲン化物、又は金属酸化物の下地の上に、金属等の導電材料を１層以上積層したものを用いてもよく、具体的にはアルカリ金属／Ａｌの積層物、アルカリ金属のハロゲン化物／アルカリ土類金属／Ａｌの積層物、アルカリ金属の酸化物／Ａｌの積層物などが用いられる。陰極取り出し部６は、陰極１９から導出されているので、陰極１９と同じ材料から成る。
【００３４】
上記のように構成された発光素子１に対する給電方法を次に説明する。図６は、本実施形態の発光素子１の給電タイミングを示す。供給時間Ｔａは、スイッチＳ１の接点位置が端子ｓａの位置にあり、陽極取り出し部５ａに電流を供給する時間である。この陽極取り出し部５ａに供給される電流は、ピーク値がＩａｐである。供給時間Ｔｂは、スイッチＳ１の接点位置が端子ｓｂの位置にあり、陽極取り出し部５ｂに電流を供給する時間である。この陰極取り出し部５ｂに供給される電流は、ピーク値がＩｂｐである。供給時間Ｔａ、Ｔｂは、スイッチＳ１の接点位置を切り替えるタイミングを調整することで任意に設定できる。また、電流のピーク値Ｉａｐ、Ｉｂｐは、いずれも定電流回路１１から流れる電流のピーク値Ｉｃと同じ値である。
【００３５】
発光素子１は、発光素子１の設置状態や向きに起因して発生する発光時の陽極１５や発光素子１の温度の差異に影響されずに、ピーク値がＩｃの一定の電流が供給されるので、単位時間当たりの供給時間Ｔａ、Ｔｂが同じとなるように給電タイミングを順次切り替えたとき、輝度分布を均一にして発光させることができる。
【００３６】
次に、発光素子１を用いる照明器具２の変形例について説明する。図７に示されるように、照明器具２１は、開口部２２が設けられる裏面ケース２３を有する。照明器具２１は、発光素子１に設けられる放熱性弾性体１０が、開口部２２を貫通して外部に露出し、例えば、照明器具２１が取り付けられる筐体に当接する。照明器具２１は、放熱性弾性体１０と筐体を介して、発光によって生じた熱を空気中に放出する。この変形例である照明器具２１においても、上述の照明器具２と同等の作用効果が得られる。
【００３７】
さらに、発光素子１の変形例について説明する。図８に示されるように、発光素子１ｂは、陽極取り出し部５及び複数の陰極取り出し部６ａ、６ｂを有する。また、発光素子１ｂが有する一組の陰極取り出し部６ａ、６ｂは、それぞれが発光素子１ｂの重心２０を挟んで陰極１９の両隅部に設けられている。発光素子１ｂは、陽極取り出し部５から一組の陰極取り出し部６ａ、６ｂまでの各給電経路における輝度分布が、対称の関係で同じ形となるので、輝度分布を均一にして発光させることができる。
【００３８】
図９に示されるように、発光素子１ｃは、複数の陽極取り出し部５ａ、５ｂ、５ｃ及び陰極取り出し部６を有する。発光素子１ｃは、陽極１５の３箇所の隅部に陽極取り出し部５ａ、５ｂ、５ｃが設けられることで、給電経路の数が増えるので輝度分布を均一にして発光させることができる。
【００３９】
発光素子１ｃが有する少なくとも一組の陽極取り出し部５ａ、５ｃは、それぞれが発光素子１ｃの重心２０を挟んで陽極１５の両隅部に設けられている。発光素子１ｃは、一組の陽極取り出し部５ａ、５ｃから陰極取り出し部６までの各給電経路における輝度分布が、対称の関係で同じ形となるので、輝度分布を均一にして発光させることができる。また、図１０に示されるように、発光素子１ｃを備える照明器具２ｃは、複数組み合わせて用いられてもよい。
【００４０】
図１１に示されるように、発光素子１ｄは、陽極取り出し部５及び陰極取り出し部６を１つずつ有する。これら各取り出し部は、発光素子１ｄの重心２０を挟んで陽極１５及び陰極１９の隅部に設けられている。なお、図１２に示されるように、陽極取り出し部５及び陰極取り出し部６が重心２０を挟んでいない位置に設けられている発光素子１ｅであってもよい。
【００４１】
また、図１３に示されるように、発光素子１ｄを備える照明器具２ｄは、複数組み合わせて用いられてもよい。その場合、各照明器具２ｄは、非発光部分である陽極取り出し部５と陰極取り出し部６を保持する保持部８同士が隣り合うようにして配置されるので、非発光部分の境目の少ない連続した光を照射することができる。これら変形例である発光素子１ｂ、１ｃ、１ｄ、１ｅにおいても、上述の発光素子１と同等の作用効果が得られる。
【００４２】
（第２の実施形態）
本実施形態の面状発光素子は、第１の実施形態と比べ、補助電極が形成された構成が異なり、その他の同等の構成については説明を省略する。図１４（ａ）（ｂ）（ｃ）（ｄ）及び図１５は、本実施形態の発光素子３１の構成を示す。発光素子３１は、以下の手順で作成される。まず、図１４（ａ）に示されるように、基材１３上に、１部の隅部が切欠きされた切欠き部１４を有する陽極１５が形成される。
【００４３】
次に、図１４（ｂ）に示されるように、陽極１５上に、発光面７の外周面に沿って設けられる補助電極３２と、この補助電極３２の外側及び内側の全周をそれぞれ覆う絶縁層３３ａ、３３ｂと、が形成される。補助電極３２は、陽極１５よりも電気抵抗が小さい金属から成り、陽極１５と電気的に接続される。絶縁層３３ａ、３３ｂは、補助電極３２が発光層１７から露出して陰極１９とショートすることを防ぐ。
【００４４】
さらに、図１４（ｃ）に示されるように、陽極１５、補助電極３２、絶縁層３３ａ、３３ｂ上に１部の隅部が切欠きされた切欠き部１６ａ、１６ｂ、１６ｃを有する発光層１７が形成される。発光層１７は、切欠き部１６ｃが陽極１５の切欠き部１４と重なり合う。また、図１５に示されるように、補助電極３２は陽極１５と発光層１７との間に配置される。
【００４５】
さらに、図１４（ｄ）に示されるように、基材１３及び発光層１７上に、１部の隅部が切欠きされた切欠き部１８ａ、１８ｂを有する陰極１９が形成される。この陰極１９は、切欠き部１８ａ、１８ｂが発光層１７の切欠き部１６ａ、１６ｂと重なり合い、陽極１５の切欠き部１４とは重畳しないようにして配置される。発光素子３１は、陽極１５から補助電極３２に電流が流れて、発光面７の全外周から均一に給電されるので、輝度分布を均一にして発光させることができる。
【００４６】
（第３の実施形態）
本実施形態の面状発光素子は、第１の実施形態と比べ、陽極取り出し部が２つ多く設けられた構成が異なり、その他の同等の構成については説明を省略する。図１６（ａ）（ｂ）（ｃ）は、本実施形態の発光素子４１の構成を示す。発光素子４１は、以下の手順で作成される。まず、図１６（ａ）に示されるように、基材１３上に、１部の隅部が切欠きされた切欠き部４２を有する陽極１５が形成される。この陽極１５は、切欠き部４２によって１箇所の隅部が三角形状の凹みを有する形状となる。
【００４７】
次に、図１６（ｂ）に示されるように、陽極１５上に、１部の隅部が切欠きされた切欠き部１６ａ、１６ｂ、１６ｃ、１６ｄを有する発光層１７が形成される。この発光層１７は、切欠き部１６ａ、１６ｂ、１６ｃ、１６ｄによって４箇所の隅部が面取りされた形状となる。
【００４８】
さらに、図１６（ｃ）に示されるように、基材１３及び発光層１７上に、１部の隅部が切欠きされた切欠き部４３ａ、４３ｂ、４３ｃ、４３ｄを有する陰極１９が形成される。この陰極１９は、切欠き部４３ａ、４３ｂ、４３ｃによって３箇所の隅部が面取りされ、切欠き部４３ｄによって１箇所の隅部が三角形状の凹みを有する形状となる。また、陰極１９は、切欠き部４３ａ、４３ｂ、４３ｃが発光層１７の切欠き部１６ａ、１６ｂ、１６ｃと重なり合う。また、陰極１９は、陽極１５の切欠き部４２が、陰極１９の切欠き部４３ａ、４３ｂ、４３ｃ、４３ｄと重畳しないようにして配置される。
【００４９】
陽極取り出し部５ａ、５ｂ、５ｃ、５ｄは、陽極１５から導出され、陰極１９の切欠き部４３ａ、４３ｂ、４３ｃ、４３ｄに近接する陽極１５の隅部に配置される。陰極取り出し部６は、陰極１９から導出され、陽極１５の切欠き部４２に近接する陰極１９の隅部に配置される。
【００５０】
発光素子４１は、陽極１５の４箇所の隅部に陽極取り出し部５ａ、５ｂ、５ｃ、５ｄが設けられることで、給電経路の数が増えるので輝度分布を均一にして発光させることができる。
【００５１】
なお、発光素子４１は、陽極取り出し部５ｄから給電するとき、陽極取り出し部５ｄと陰極取り出し部６が隣接して配置されているので、電流集中が発生して熱暴走が起こりやすい。そのため、発光素子４１は、陽極取り出し部５ａ、５ｂ、５ｃ、５ｄに給電するタイミングを順次切り替えて、陽極取り出し部５ｄへの給電時間を陽極取り出し部５ａ、５ｂ、５ｃへの給電時間より短くすることによって、電流集中による熱暴走の発生を防ぐことができる。
【００５２】
なお、本発明は、上記の実施形態の構成に限られず、発明の要旨を変更しない範囲で種々の変形が可能である。例えば、陽極取り出し部と陰極取り出し部の形状は、上記の実施形態においては直角三角形状であるが、直角三角形の直角部分が円弧状になった半円形状であっても構わない。
【符号の説明】
【００５３】
１、１ａ、１ｂ、１ｃ、１ｄ、１ｅ、３１、４１  発光素子（面状発光素子）
２、２ｃ、２ｄ、２１  照明器具
３  表面ケース
４、２３  裏面ケース
５、５ａ、５ｂ、５ｃ、５ｄ  陽極取り出し部
６、６ａ、６ｂ  陰極取り出し部
７  発光面
８  保持部
１４、４２  面状陽極電極の切欠き部
１５  陽極（面状陽極電極）
１７  発光層
１８ａ、１８ｂ、４３ａ、４３ｂ、４３ｃ、４３ｄ  面状陰極電極の切欠き部
１９  陰極（面状陰極電極）
２０  重心
３２  補助電極
【図１】
2010225386.tif 000003
【図２】
2010225386.tif 000004
【図３】
2010225386.tif 000005
【図４】
2010225386.tif 000006
【図５】
2010225386.tif 000007
【図６】
2010225386.tif 000008
【図７】
2010225386.tif 000009
【図８】
2010225386.tif 000010
【図９】
2010225386.tif 000011
【図１０】
2010225386.tif 000012
【図１１】
2010225386.tif 000013
【図１２】
2010225386.tif 000014
【図１３】
2010225386.tif 000015
【図１４】
2010225386.tif 000016
【図１５】
2010225386.tif 000017
【図１６】
2010225386.tif 000018
【図１７】
2010225386.tif 000019
【図１８】
2010225386.tif 000020
【図１９】
2010225386.tif 000021
【図２０】
2010225386.tif 000022